(57)【要約】    【課題】  ウインカの視認できる範囲が狭い。    【構成】  コンバインの機体フレーム１の下方に走行装置を、上方一側に脱穀装置を、上方他側にグレンタンクを夫々設け、前記機体フレーム１の前方には刈取部４を設ける。該刈取部４の穀稈を引き起こすラグ式引起装置９は、その各引起ケース２０の上部を左右方向の連結部材１５により連結し、該連結部材１５には機体の旋回方向を点滅して知らせる左右のウインカ１６を設ける。前記ウインカ１６は、前記連結部材１５の左右両端部に夫々設ける。【選択図】    図８
2007028963.tif 000002
【特許請求の範囲】
【請求項１】
機体フレーム（１）の下方に走行装置を、上方一側に脱穀装置を、上方他側にグレンタンクを夫々設け、前記機体フレーム（１）の前方には刈取部（４）を設け、該刈取部（４）の穀稈を引き起こすラグ式引起装置（９）は、その各引起ケース（２０）の上部を左右方向の連結部材（１５）により連結し、該連結部材（１５）には機体の旋回方向を点滅して知らせる左右のウインカ（１６）を設けたコンバイン。
【請求項２】
請求項１において、前記ウインカ（１６）は、前記連結部材（１５）の左右両端部に夫々設けたコンバイン。
【発明の詳細な説明】
【技術分野】
【０００１】
本発明は、コンバイン、特に、旋回方向を知らせるウインカに係るものである。
【背景技術】
【０００２】
従来、機体フレームの下方に走行装置を、上方一側に脱穀装置を、上方他側にグレンタンクを夫々設け、前記機体フレームの前方には刈取部を設け、該刈取部の穀稈を引き起こすラグ式引起装置のうち左右夫々の各引起ケースの側部にウインカを埋設した構成は、公知である（特許文献１）
【特許文献１】特開２００４−３３０９８号公報
【発明の開示】
【発明が解決しようとする課題】
【０００３】
前記公知例は、ウインカの保護のため、ラグ式引起装置の引起ケースの側部に埋設し、ウインカは引起ケースより外に突出していないため、側方から見ると視認できるが、前方からの視認性がよくないという課題がある。
即ち、機体前方右側のウインカは、機体の左側からよく見えないのである。
本願は、機体前方左右両側のウインカの視認できる範囲を広くしたものである。
【課題を解決するための手段】
【０００４】
本発明は、機体フレーム１の下方に走行装置を、上方一側に脱穀装置を、上方他側にグレンタンクを夫々設け、前記機体フレーム１の前方には刈取部４を設け、該刈取部４の穀稈を引き起こすラグ式引起装置９は、その各引起ケース２０の上部を左右方向の連結部材連結部材１５により連結し、該連結部材１５には機体の旋回方向を点滅して知らせる左右のウインカ１６を設けたコンバインとしたものであり、コンバインを前進させて、分草装置で分草するとともに引起装置９で引起し、その後刈刃で穀稈の根本側を切断し、切断した穀稈を穀稈搬送装置で搬送して穀稈の刈取作業を行う。
路上走行時に旋回するときは、左右の一方のウインカ１６を点滅させて旋回方向を周囲に知らせる。
ウインカ１６は、引起装置９の上方の連結部材１５に設けているので、ウインカ１６は引起装置９の影にならず、刈取部４越しでの視認可能範囲を広くする。
本発明は、前記ウインカ１６は、前記連結部材１５の左右両端部に夫々設けたコンバインとしたものであり、左右のウインカ１６は夫々左右反対側からも視認可能となって、視認可能範囲を広くする。
【発明の効果】
【０００５】
請求項１の発明では、ウインカ１６の視認性を良好にでき、また、引起装置９の形状に関わらずに設置でき、取付の自由度を向上させられ、ウインカ１６の取付自体も容易にできる。
請求項２の発明では、左右両側からの視認性を良好にできる。
【実施例１】
【０００６】
本発明の実施例を図により説明すると、１は機体フレーム、２は該機体フレーム１の下方位置に設けた走行装置、３は機体フレーム１の上方位置に設けた脱穀装置、４は脱穀装置３の前側に設けた刈取部、５はグレンタンク、６はグレンタンク５内の穀粒を排出する排出オーガ、７は操縦部である。
前記刈取部４は、最先端位置に分草装置８を左右に並設し、各分草装置８の後側に分草装置８が分草した穀稈を引起す引起装置９を設け、引起装置９の後側には刈刃１０を設け、刈刃１０の上方から後側には刈刃１０によって刈り取った穀稈を搬送する穀稈搬送装置１１を設ける。
【０００７】
前記引起装置９は、その上部を左右方向の連結部材１５により連結し、該連結部材１５には機体の旋回方向を点滅して知らせる左右のウインカ１６を設ける。ウインカ１６はウインカケース１７内にランプ（図示省略）を設けて構成する。
引起装置９の上方の連結部材１５にウインカ１６を設けているので、ウインカ１６は引起装置９の影にならず、前方左（右）側から見たときの視認性を良好にする。
また、複数の引起装置９を連結する連結部材１５に設けているので、引起装置９の形状に関わらずに設置でき、取付の自由度を向上させれられ、ウインカ１６の取付自体も容易になる。
【０００８】
前記ウインカ１６は、前記連結部材１５の左右両端部に夫々設ける。
したがって、左右両側からの視認性を良好にする。
また、左右のウインカ１６のうちの右ウインカ１６は、複数並設した引起装置９のうち最右端の引起装置９の引起ケース２０付近に取付ける。
【０００９】
しかして、左右のウインカ１６のうちの右ウインカ１６Ａは、正面視において、複数並設した引起装置９のうち最右端の引起装置９の引起ケース２０と重なる状態と重ならない状態（非重なり状態）とに位置を切替えられるように構成すると、刈取作業時の刈取対象物の視認性を妨げない（図７）。
即ち、右ウインカ１６Ａは、刈取作業時は正面視において重なる状態とし、前方の刈取作業の刈取対象物の視認性を妨げないようにし、それ以外では、重ならない状態（非重なり状態）に切替えることで、ウインカ１６の視認性を良好にしている。
【００１０】
この場合、右ウインカ１６Ａは、そのウインカケース１７の外形が正面視において引起装置９の引起ケース２０に略完全に納まるように設ける（図５、図７）。
したがって、刈取作業時の搬送対象物の視認性を妨げず、また、刈取作業時の搬送対象物Ｈの搬送を妨げず、好適である（図８）。
なお、図５等の一部のウインカ１６は、理解を容易にするために、斜線を表示しているが、これにより構成は限定されない。
【００１１】
また、ウインカ１６Ａは、側面視において、前記連結部材１５を基準に、前側位置と後側位置とに位置を切替えられるように構成すると、刈取作業時の刈取対象物の視認性を妨げない。
即ち、右ウインカ１６Ａは、刈取作業時は側面視連結部材１５の後側に位置させて前方の刈取作業の刈取対象物の視認性を妨げないようにし、それ以外では、前側位置に切替えることで、ウインカ１６の視認性を良好にしている。
【００１２】
また、右ウインカ１６Ａは、正面視において、複数並設した引起装置９のうち最右端の引起装置９の引起ケース２０の上端を基準に、引起ケース２０上端より上側位置と下側位置とに位置を切替えられるように構成すると（図５、図６）、刈取作業時の刈取対象物Ｋの視認性を妨げない（図７）。
即ち、右ウインカ１６Ａは、刈取作業時は正面視引起ケース２０上端よりも下側に位置させて前方の刈取作業の刈取対象物の視認性を妨げないようにし、それ以外では、引起ケース２０上端よりも上側位置に切替えることで、ウインカ１６の視認性を良好にしている。
【００１３】
前記右ウインカ１６Ａは、回動アーム２１の先端に取付け、回動アーム２１は取付軸２２により連結部材１５に回動自在に取付ける。前記取付軸２２は斜めに設ける。
したがって、正面視において、取付軸２２の位置を基準に、取付軸２２より外側位置と内側位置との左右の位置を切替えられる（図５、図７）。
即ち、取付軸２２は、外側に至るに従い低く傾斜させて設け、回動前と回動後により、ウインカ１６の位置を前後、左右、上下方向の何れにも容易に位置を変更させることができる。
【００１４】
しかして、前記ウインカ１６のハーネス２５は、引起装置９の引起ケース２０の裏側から取付軸２２付近を通して回動アーム２１に添わせて配策する（図９）。
したがって、ハーネス２５は回動アーム２１により保護され、損傷しにくくなり、また、取付軸２２付近を通しているから、ウインカ１６およびハーネス２５を取付軸２２中心に回動させても、ハーネス２５の損傷を防止する。
引起装置９の引起ケース２０までのハーネス２５の配策経路は任意であるが、例えば、刈取部支持フレーム２６から刈取部下側フレーム２７の近傍に添わせ、刈取部下側フレーム２７から最右の引起装置９の引起ケース２０を支持する支持体２８に這わせて、引起ケース２０の上部にまで配策すればよい（図１０）。
【００１５】
しかして、前記ウインカ１６Ａは、回動アーム２１により連結部材１５から突出させて設け、操縦部７のステップ３０の作業者が手を伸ばして、刈取作業時と路上走行時の位置を切替えうるように構成する（図１１）。
即ち、ウインカ１６Ａは操縦部７のステップ３０の作業者の手が届く範囲に設置する。
したがって、刈取部４付近からは勿論のこと、操縦部７からウインカ１６の位置切替が可能となり、作業性が向上する。
【００１６】
しかして、前記連結部材１５は、左右中間の中央部３３の左右両側に、外側に至るに従い低く傾斜する傾斜部３４を夫々形成し、該傾斜部３４にステー３５を設け、ステー３５に取付軸２２により回動アーム２１の基部を回動自在に取付ける（図５、図７）。
この場合、前記連結部材１５の傾斜部３４の周辺には、ウインカ１６の回動スペースを設け、側面視、上側に位置するウインカ１６を取付軸２２中心に後方回動させて、引起装置９の引起ケース２０の裏側に位置するように構成する。
即ち、右ウインカ１６Ａの回動軌跡は、前方から連結部材１５の傾斜部３４の右側を通過するように構成する。
したがって、ウインカ１６の斜め前方からの視認性を良好にし、左右のウインカ１６を一度に視認できる。また、引起装置９の引起ケース２０の形状を変更することなくウインカ１６の取付ができ、ウインカ１６の位置を前後、左右、上下方向の何れにも容易に位置を変更させることができる。
【００１７】
しかして、操縦部７のステップ３０の前側には、前側操作パネル（前側起立部）４０を起立させて設け、前側操作パネル４０の上部には作業者がバランスを取るとき等に把持するハンドル４１を設け、該ハンドル４１と前記連結部材１５とは、刈取部４の上下（昇降）の際に互いに接触させず、しかも、連結部材１５の位置切替えのための取付軸２２中心の回動が常時可能となるように構成すると（図１２）、刈取部４の上下の度に連結部材１５の位置を切替える煩雑さから開放され、また、刈取部４の上下高さに無関係に連結部材１５の位置を切替えができ、操作性・作業性を向上させる。
【００１８】
しかして、右ウインカ１６Ａは、グレンタンク５等のコンバインの機体の右端線Ｌより内側に位置させ、機体の右端より側方に突出させない（図１３）。
したがって、機体の小型化となる。
【００１９】
しかして、図１４〜図１９は、ウインカ１６の他の実施例であり、前記操縦部７のハンドル４１は、左右方向の上部ハンドル部４２の右側に外側に突き出る円弧部４３を設け、円弧部４３の下部に縦杆部４４を設けて形成し、縦杆部４４にステー４５を設け、ステー４５にミラー４６を取付ける。ミラー４６を取付けたステー４５の一部は前方に突き出るように突出部４７を設け、突出部４７に右ウインカ１６Ａのウインカケース１７を取付ける。
そのため、右ウインカ１６Ａを前方左側から見たときの視認性を良好にでき、連結部材１５の取付の部品数を低減して構成の簡略化できる。
【００２０】
この場合、側面視において、ウインカ１６とミラー４６とが上下に重ならないように配置すると、ウインカ１６を後方から見たときの視認性を良好にする。
なお、左ウインカ１６Ｂは、連結部材１５の左側の傾斜部３４に取付けている。
【図面の簡単な説明】
【００２１】
【図１】コンバインの側面図。
【図２】同正面図。
【図３】同正面図。
【図４】同側面図。
【図５】刈取部の正面図（引起装置以外は省略）
【図６】同側面図。
【図７】ウインカと刈取部との位置関係を示す正面図。
【図８】ウインカと刈取部との位置関係を示す正面図。
【図９】ウインカのハーネスを示した正面図。
【図１０】同概略側面図。
【図１１】作業者とウインカと刈取部との位置関係を示す側面図。
【図１２】ウインカと刈取部の昇降状態を示す側面図。
【図１３】ウインカとコンバイン機体の位置関係を示す正面図。
【図１４】ウインカの他の実施例の側面図。
【図１５】同側面図。
【図１６】同正面図。
【図１７】同平面図。
【図１８】同刈取部正面図。
【図１９】同側面図。
【符号の説明】
【００２２】
１…機体フレーム、２…走行装置、３…脱穀装置、４…刈取部４、５…グレンタンク、６…排出オーガ、７…操縦部、８…分草装置、引起装置９…引起装置、１０…刈刃、１１…穀稈搬送装置、１５…連結部材、１６…ウインカ、２０…引起ケース、２１…回動アーム、２２…取付軸、２５…ハーネス、２６…刈取部支持フレーム、２７…刈取部下側フレーム、３０…ステップ、３３…中央部、３４…傾斜部、３５…ステー、４０…前側操作パネル、４１…ハンドル、４２…上部ハンドル部、４３…円弧部、４４…縦杆部、４５…ステー、４６…ミラー、４７…突出部。
【図１】
2007028963.tif 000003
【図２】
2007028963.tif 000004
【図３】
2007028963.tif 000005
【図４】
2007028963.tif 000006
【図５】
2007028963.tif 000007
【図６】
2007028963.tif 000008
【図７】
2007028963.tif 000009
【図８】
2007028963.tif 000010
【図９】
2007028963.tif 000011
【図１０】
2007028963.tif 000012
【図１１】
2007028963.tif 000013
【図１２】
2007028963.tif 000014
【図１３】
2007028963.tif 000015
【図１４】
2007028963.tif 000016
【図１５】
2007028963.tif 000017
【図１６】
2007028963.tif 000018
【図１７】
2007028963.tif 000019
【図１８】
2007028963.tif 000020
【図１９】
2007028963.tif 000021